(57)【要約】【課題】網戸の取り付け及び取り外しのいずれの作業も良好に行える網戸及び網戸付き建具を提供すること。【解決手段】網戸４は、矩形状の網部４１と、縦縁部材４２及び横縁部材４３とを有し、建具１の枠体２の四周に設けられた嵌合溝２５、２６内に縦縁部材４２及び横縁部材４３が嵌合することにより枠体２に取り付けられる。縦縁部材４２は横縁部材４３よりも硬質である、又は、横縁部材４３は縦縁部材４２よりも硬質である。網戸付き建具は、嵌合溝２５、２６の屋内側及び屋外側に配置される内側面２５１ａ、２５１ｂにそれぞれ係合突部２５２ａ、２５２ｂを有し、硬質な縦縁部材４２又は横縁部材４３は、嵌合溝２５、２６内で係合突部２５２ａ、２５２ｂと係合する２つの突起部４２８ａ、４２８ｂと、縦縁部材４２又は横縁部材４３を嵌合溝２５内で回転させるための押し込み部４２４とを有する。【選択図】図６
2019148107.tif 000002
【特許請求の範囲】
【請求項１】
矩形状の網部と、縦縁部材及び横縁部材とを有し、建具の枠体の四周に設けられた嵌合溝内に前記縦縁部材及び前記横縁部材が嵌合することにより前記枠体に取り付けられる網戸であって、
前記縦縁部材は前記横縁部材よりも硬質である、又は、前記横縁部材は前記縦縁部材よりも硬質である、網戸。
【請求項２】
前記縦縁部材及び前記横縁部材のうちの硬質ではない前記横縁部材又は前記縦縁部材は、前記網部と別体である、請求項１に記載の網戸。
【請求項３】
建具の枠体の四周に設けられた嵌合溝内に、請求項１又は２に記載の網戸の前記縦縁部材及び前記横縁部材が嵌合することにより前記網戸が取り付けられている網戸付き建具であって、
前記嵌合溝は、屋内側及び屋外側に配置される内側面にそれぞれ係合突部を有し、
前記縦縁部材及び前記横縁部材のうちの硬質な前記縦縁部材又は前記横縁部材は、前記嵌合溝内で前記係合突部と係合する２つの突起部と、前記嵌合溝から外側に突出するように設けられ、前記係合突部と前記突起部との係合が解除されるように前記縦縁部材又は前記横縁部材を前記嵌合溝内で回転させるための押し込み部とを有する、網戸付き建具。
【請求項４】
前記縦縁部材及び前記横縁部材のうちの硬質な前記縦縁部材又は前記横縁部材が嵌合する前記嵌合溝内に、前記縦縁部材又は前記横縁部材の外面と当接して前記嵌合溝内の回転を案内するガイド面を有する、請求項３に記載の網戸付き建具。
【請求項５】
前記縦縁部材及び前記横縁部材のうちの硬質ではない前記横縁部材又は前記縦縁部材は、前記嵌合溝に嵌合する軟質の樹脂からなる横縁部材本体と、前記横縁部材本体の表層側に配置され、前記横縁部材本体よりも硬質の樹脂からなる天板部とが一体成形された一体成形品である、請求項３又は４に記載の網戸付き建具。
【請求項６】
前記天板部は、長手方向の少なくとも一方側部に切り欠き部を有する、請求項５に記載の網戸付き建具。
【発明の詳細な説明】
【技術分野】
【０００１】
本発明は、網戸及び網戸付き建具に関する。
【背景技術】
【０００２】
従来、樹脂製のアタッチメントを四周縁部に有するフレームレス網戸が知られている（例えば、特許文献１参照）。このような網戸は、アタッチメントを建具の枠体に設けられた嵌合溝内に嵌合することによって取り付けられる。
【０００３】
通常、網戸は、一定の張力を掛けて枠体に取り付けられるため、アタッチメントを嵌合溝に強固に嵌合させる必要がある。特許文献１では、全てのアタッチメントが硬質樹脂製であるため、建具の枠体の嵌合溝内にアタッチメントを強固に嵌合させることができる。
【先行技術文献】
【特許文献】
【０００４】
【特許文献１】特許第５４８５５９０号公報
【発明の概要】
【発明が解決しようとする課題】
【０００５】
しかしながら、硬質のアタッチメントは、嵌合溝内からの取り外しが困難であり、網戸の張り替えや掃除等のために網戸を取り外す際の作業性が悪いという問題がある。一方、軟質のアタッチメントは、柔らかいため、網戸を枠体へ取り付ける際の作業性が悪い。しかも、軟質のアタッチメントは熱の影響を受け易いため、形状を安定させることが難しい。
【０００６】
そこで、本発明は、網戸の取り付け及び取り外しのいずれの作業も容易に行うことができると共に、枠体に安定して取り付けることができる網戸及びその網戸を備えた網戸付き建具を提供することを目的とする。
【課題を解決するための手段】
【０００７】
（１）  本発明に係る網戸は、矩形状の網部（例えば、後述の網部４１）と、縦縁部材（例えば、後述の縦縁部材４２）及び横縁部材（例えば、後述の横縁部材４３）とを有し、建具（例えば、後述の建具１）の枠体（例えば、後述の枠体２）の四周に設けられた嵌合溝（例えば、後述の嵌合溝２５、２６）内に前記縦縁部材及び前記横縁部材が嵌合することにより前記枠体に取り付けられる網戸（例えば、後述の網戸４）であって、前記縦縁部材は前記横縁部材よりも硬質である、又は、前記横縁部材は前記縦縁部材よりも硬質である。
（２）  （１）に記載の網戸において、前記縦縁部材及び前記横縁部材のうちの硬質ではない前記横縁部材又は前記縦縁部材は、前記網部と別体であることが好ましい。
（３）  本発明における網戸付き建具は、建具（例えば、後述の建具１）の枠体（例えば、後述の枠体２）の四周に設けられた嵌合溝（例えば、後述の嵌合溝２５、２６）内に、（１）又は（２）に記載の網戸の前記縦縁部材及び前記横縁部材が嵌合することにより前記網戸が取り付けられている網戸付き建具であって、前記嵌合溝は、屋内側及び屋外側に配置される内側面（例えば、後述の内側面２５１ａ、２５１ｂ）にそれぞれ係合突部（例えば、後述の係合突部２５２ａ、２５２ｂ）を有し、前記縦縁部材及び前記横縁部材のうちの硬質な前記縦縁部材又は前記横縁部材は、前記嵌合溝内で前記係合突部と係合する２つの突起部（例えば、後述の突起部４２８ａ、４２８ｂ）と、前記嵌合溝から外側に突出するように設けられ、前記係合突部と前記突起部との係合が解除されるように前記縦縁部材又は前記横縁部材を前記嵌合溝内で回転させるための押し込み部（例えば、後述の押し込み部４２４）とを有する。
（４）  （３）に記載の網戸付き建具において、前記縦縁部材及び前記横縁部材のうちの硬質な前記縦縁部材又は前記横縁部材が嵌合する前記嵌合溝内に、前記縦縁部材又は前記横縁部材の外面（例えば、後述の円弧面４２３ｂ）と当接して前記嵌合溝内の回転を案内するガイド面（例えば、後述の傾斜面２５５ｂ）を有することが好ましい。
（５）  （３）又は（４）に記載の網戸付き建具において、前記縦縁部材及び前記横縁部材のうちの硬質ではない前記横縁部材又は前記縦縁部材は、前記嵌合溝に嵌合する軟質の樹脂からなる横縁部材本体（例えば、後述の横縁部材本体４３１）と、前記横縁部材本体の表層側に配置され、前記横縁部材本体よりも硬質の樹脂からなる天板部（例えば、後述の天板部４３２）とが一体成形された一体成形品であることが好ましい。
（６）  （５）に記載の網戸付き建具において、前記天板部は、長手方向の少なくとも一方側部に切り欠き部（例えば、後述の切り欠き部４３５）を有することが好ましい。
【発明の効果】
【０００８】
本発明によれば、網戸の取り付け及び取り外しのいずれの作業も容易に行うことができると共に、枠体に安定して取り付けることができる網戸及びその網戸を備えた網戸付き建具を提供することができる。
【図面の簡単な説明】
【０００９】
【図１】本発明の一実施形態に係る網戸付き建具の縦断面図である。
【図２】本発明の一実施形態に係る網戸付き建具の横断面図である。
【図３】図１に示す網戸付き建具の上枠側の拡大縦断面図である。
【図４】図１に示す網戸付き建具の下枠側の拡大縦断面図である。
【図５】図２に示す網戸付き建具の一方の縦枠側の拡大横断面図である。
【図６】網戸付き建具に取り付けられていない状態の網戸を屋内側から見た正面図である。
【図７】網戸の縦縁部材を嵌合溝から取り外した状態を示す図である。
【図８】網戸の横縁部材を嵌合溝から取り外した状態を示す図である。
【図９】横縁部材の平面図である。
【図１０】嵌合溝に嵌合させた状態の横縁部材の一端部を示す拡大平面図である。
【図１１】縦縁部材の取り外し作業手順の説明図である。
【発明を実施するための形態】
【００１０】
以下、本発明の一実施形態について、図面を参照して詳しく説明する。
（建具の全体構成）
図１は、本発明の一実施形態に係る網戸付き建具の縦断面図であり、図２は、本発明の一実施形態に係る網戸付き建具の横断面図である。図３は、図１に示す網戸付き建具の上枠側の拡大縦断面図である。図４は、図１に示す網戸付き建具の下枠側の拡大縦断面図である。図５は、図２に示す網戸付き建具の一方の縦枠側の拡大横断面図である。
本実施形態の網戸付き建具（以下、単に「建具」という。）１は、建物の壁に形成された開口部（図示せず）に取り付けられる枠体２と、枠体２に開閉可能に納められた障子３と、障子３の屋内側に張設された網戸４とを備えている。
【００１１】
建具１は、アルミ等の金属と塩化ビニル等の樹脂とからなる枠体２を有する複合型の建具であり、断熱性に優れる。即ち、枠体２は、上横枠２１、下横枠２２及び左右の縦枠２３、２４によって矩形状に枠組みされて形成されている。上横枠２１、下横枠２２及び縦枠２３、２４は、障子３が開閉可能に取り付けられる金属上横枠２１１、金属下横枠２２１及び金属縦枠２３１、２４１と、網戸４が張設される樹脂上横枠２１２、樹脂下横枠２２２及び樹脂縦枠２３２、２４２とでそれぞれ構成されている。樹脂上横枠２１２及び樹脂下横枠２２２は、金属上横枠２１１及び金属下横枠２２１の内側且つ屋内側にそれぞれ装着され、樹脂縦枠２３２、２４２は、金属縦枠２３１、２４１の内側且つ屋内側にそれぞれ装着されている。
【００１２】
障子３は、上框３１、下框３２及び縦框３３、３４によって複層ガラス３５を支持し、枠体２に対して、上框３１及び下框３２の一方端部に設けられた図示しない回動軸中心に回動可能に取り付けられている。これにより、障子３は、屋外側に向けて開放され、又は、屋内側に向けて収納される。
【００１３】
本実施形態の網戸４は、枠体２のうちの樹脂上横枠２１２、樹脂下横枠２２２及び樹脂縦枠２３２、２４２に亘って着脱可能に張設されている。具体的には、網戸４は、樹脂上横枠２１２、樹脂下横枠２２２及び樹脂縦枠２３２、２４２の各見込み面２１２ａ、２２２ａ、２３２ａ、２４２ａにそれぞれ凹設された嵌合溝２５、２６に、四周縁部がそれぞれ着脱可能に嵌合することによって張設されている。嵌合溝２５は、樹脂縦枠２３２、２４２の各見込み面２３２ａ、２４２ａに形成された縦側の嵌合溝であり、嵌合溝２６は、樹脂上横枠２１２及び樹脂下横枠２２２の各見込み面２１２ａ、２２２ａに形成された横側の嵌合溝である。嵌合溝２５、２６は、枠体２の四周に亘って連続している。
【００１４】
（網戸の構成）
次に、網戸４の構成について図６を用いて更に詳細に説明する。図６は、建具１に取り付けられていない状態の網戸４を屋内側から見た正面図である。図６に示す網戸４の上下は、図１に示す建具１の上下に一致している。
網戸４は、矩形状の網部４１と、その網部４１の左右の縁部に配置される一対の縦縁部材４２、４２と、網部４１の上下の縁部に配置される一対の横縁部材４３、４３とを備えている。縦縁部材４２は、枠体２の縦側の嵌合溝２５に嵌合するアタッチメントであり、横縁部材４３は、枠体２の横側の嵌合溝２６に嵌合するアタッチメントである。
【００１５】
網部４１は、網部本体４１１の四周縁部に、多数の務歯４１２ａを有するファスナーのテープ半体からなるテープ部４１２が、それぞれ務歯４１２ａを外側にして縫着又は接着されることによって構成されている。網部４１の縦側のテープ部４１２の務歯４１２ａは、網部４１の縦側の全長に亘って形成されている。網部４１の横側のテープ部４１２の務歯４１２ａは、網部４１の横側の全長に亘っておらず、縦側のテープ部４１２の務歯４１２ａとの間に、後述するように、縦側のテープ部４１２を縦縁部材４２内に挿通させるための所定の間隔が設けられている。
【００１６】
網戸４が建具１の枠体２に取り付けられていない状態では、縦縁部材４２は、網部４１の縦側のテープ部４１２に係合して取り付けられているのに対し、横縁部材４３は、網部４１と係合しておらず、別体とされている。横縁部材４３が網部４１と別体であることにより、枠体２に取り付ける前及び枠体２から取り外した後の網部４１は、一方の縦縁部材４２を中心にして容易に巻回して省梱包化することができる。このため、網部４１の収納時及び運搬時の省スペース化を図ることができる。
【００１７】
（嵌合溝の構成）
次に、嵌合溝２５、２６の構成について図７、図８を用いて説明する。図７は、網戸４の縦縁部材４２を嵌合溝２５から取り外した状態を示す図であり、図８は、網戸４の横縁部材４３を嵌合溝２６から取り外した状態を示す図である。
縦側の嵌合溝２５は、図７に示すように、縦縁部材４２を収納可能な凹溝からなる。嵌合溝２５内の屋内側及び屋外側に配置される内側面２５１ａ、２５１ｂには、長手方向に沿って延びる係合突部２５２ａ、２５２ｂが、それぞれ向かい合うように突出形成され、嵌合溝２５の入り口を狭めている。係合突部２５２ａ、２５２ｂの先端面２５３ａ、２５３ｂは、嵌合溝２５の外側に向けて広がるテーパー状に形成されている。係合突部２５２ａ、２５２ｂは、嵌合溝２５の深さ方向（図７における左右方向）の位置が同じになるように配置されている。
【００１８】
嵌合溝２５内の底面２５４は、ほぼ平坦面に形成されているが、この底面２５４から内側面２５１ａ、２５１ｂにかけて、屋内側及び屋外側にそれぞれ傾斜面２５５ａ、２５５ｂが連続して形成されている。屋内側の傾斜面２５５ａは、屋内側の係合突部２５２ａの根元部まで連続している。一方、屋外側の傾斜面２５５ｂは、屋外側の係合突部２５２ｂの根元部まで連続しておらず、係合突部２５２ｂとの間に所定の隙間Ｓを有している。傾斜面２５５ａ、２５５ｂのうちの主として屋外側の傾斜面２５５ｂは、後述するように、縦縁部材４２を嵌合溝２５内から回転させて取り外す際の縦縁部材４２の回転を案内するガイド面として機能する。
【００１９】
一方、横側の嵌合溝２６は、図８に示すように、横縁部材４３を収納可能な凹溝からなる。嵌合溝２６内の屋内側及び屋外側に配置される内側面２６１ａ、２６１ｂには、嵌合溝２５と同様に、長手方向に沿って延びる係合突部２６２ａ、２６２ｂが、それぞれ向かい合うように突出形成され、嵌合溝２６の入り口を狭めている。これら係合突部２６２ａ、２６２ｂの先端面２６３ａ、２６３ｂも、嵌合溝２６の外側に向けて広がるテーパー状に形成されている。また、係合突部２６２ａ、２６２ｂも、嵌合溝２６の深さ方向（図８における上下方向）の位置が同じになるように配置されている。
【００２０】
嵌合溝２６内の底面２６４も、ほぼ平坦面に形成され、この底面２６４から内側面２６１ａ、２６１ｂにかけて、屋内側及び屋外側にそれぞれ傾斜面２６５ａ、２６５ｂが連続して形成されている。屋内側の傾斜面２６５ａは、屋内側の係合突部２６２ａの根元部まで連続している。一方、屋外側の傾斜面２６５ｂは、屋外側の係合突部２６２ｂの根元部まで連続しておらず、係合突部２６２ｂとの間に所定の隙間Ｓを有している。傾斜面２６５ａ、２６５ｂのうちの主として屋外側の傾斜面２６５ｂは、後述するように、嵌合溝２６内に差し入れられた網部４１の横側のテープ部４１２を横縁部材４３によって巻き込みながら係止する際に、テープ部４１２の務歯４１２ａ側が屋内側に向けて円滑に巻き込まれるように案内するガイド面として機能することができる。
【００２１】
なお、図８に示す嵌合溝２６は、下横枠２２側に配置される嵌合溝２６を示しているが、上横枠２１側に配置される嵌合溝２６も、図８に示す嵌合溝２６と同様に、内側面２６１ａ、２６１ｂに一対の係合突部２６２ａ、２６２ｂを有する。図３に示すように、上横枠２１側に配置される嵌合溝２６は、傾斜面２６５を有していないが、図８と同様に、傾斜面２６５を有していてもよい。また、横側の上下いずれの嵌合溝２６も、縦側の嵌合溝２５と同一構造であってもよい。
【００２２】
（縦縁部材の構成）
次に、縦縁部材４２の構成について図７を用いて説明する。縦側の左右の縦縁部材４２は同一構造であるため、ここでは、図７に示す縦枠２３側の縦縁部材４２について説明する。
縦縁部材４２は、網戸４の屋内側及び屋外側にそれぞれ配置される一対の側板部４２１ａ、４２１ｂと、これら側板部４２１ａ、４２１ｂの端部間を連結する底板部４２２とで、側面視略Ｕ字型に形成されている。側板部４２１ａ、４２１ｂから底板部４２２に至る外面は、それぞれ滑らかな円弧面４２３ａ、４２３ｂとなっている。
【００２３】
屋内側の側板部４２１ａは、屋外側の側板部４２１ｂよりも網部本体４１１側に向けて延長され、後述するように、縦縁部材４２を嵌合溝２５から取り外す際に指で押し込み操作するための押し込み部４２４を一体に有している。この押し込み部４２４は、図５に示すように、縦縁部材４２が嵌合溝２５内に嵌合された状態で、嵌合溝２５から外側に向けて僅かに突出するように形成されている。
【００２４】
屋内側の側板部４２１ａの内面には、屋外側の側板部４２１ｂとの間に僅かな隙間を残して屋外側の側板部４２１ｂに向けて突出する第１の突板部４２５が、長手方向に沿って形成されている。また、底板部４２２の内面には、第１の突板部４２５との間に僅かな隙間を残して第１の突板部４２５に向けて突出する第２の突板部４２６が、長手方向に沿って形成されている。これにより、縦縁部材４２の内側には、屋内側の側板部４２１ａと、底板部４２２と、第１の突板部４２５と、第２の突板部４２６とで囲まれる空間からなる係止部４２７が形成されている。
【００２５】
第１の突板部４２５と第２の突板部４２６との間の間隔は、網部４１のテープ部４１２のテープ部分を挿入可能であるが、務歯４１２ａは通過し得ない程度の間隔となっている。このため、縦縁部材４２の長手方向の一方端部側から、網部４１の縦側のテープ部４１２の務歯４１２ａを係止部４２７内に収容させ、網部本体４１１側を、第１の突板部４２５と屋外側の側板部４２１ｂとの間から縦縁部材４２の外側に引き出すようにテープ部４１２を挿通させると、務歯４１２ａは係止部４２７内に係止される。これにより、縦縁部材４２は網部４１の縦側縁部に係合状態で取り付けられる。
【００２６】
縦縁部材４２の側板部４２１ａ、４２１ｂの外面には、長手方向に沿って延びる一対の突起部４２８ａ、４２８ｂがそれぞれ形成されている。ここで、縦縁部材４２の側板部４２１ａ、４２１ｂ間の幅寸法は、嵌合溝２５内の係合突部２５２ａ、２５２ｂ間の間隔と同じ又は僅かに小さく、且つ、縦縁部材４２の突起部４２８ａ、４２８ｂの間の幅寸法は、嵌合溝２５内の係合突部２５２ａ、２５２ｂ間の間隔よりも僅かに大きく形成されている。従って、縦縁部材４２が嵌合溝２５内に挿入されると、突起部４２８ａ、４２８ｂが嵌合溝２５内の係合突部２５２ａ、２５２ｂを弾性的に乗り越えて係合し、縦縁部材４２は嵌合溝２５内に保持される。
【００２７】
底板部４２２から屋内側の突起部４２８ａまでの距離は、嵌合溝２５内の底面２５４から屋内側の係合突部２５２ａまでの間の距離よりも僅かに短い程度に形成されている。即ち、縦縁部材４２が嵌合溝２５に挿入されると、屋内側の突起部４２８ａが嵌合溝２５内の屋内側の係合突部２５２ａを弾性的に乗り越えるとほぼ同時に、底板部４２２が嵌合溝２５内の底面２５４に当接する。これにより、屋内側の突起部４２８ａは、嵌合溝２５内の屋内側の係合突部２５２ａに対して係止された状態となる。
【００２８】
一方、底板部４２２から屋外側の突起部４２５ｂまでの距離は、屋内側の突起部４２８ａの場合よりも小さく形成されている。即ち、屋外側の突起部４２８ｂの位置は、屋内側の突起部４２８ａの位置に対し、縦縁部材４２の底板部４２２側にずれ量Ｄだけずれて配置されている。このため、縦縁部材４２が嵌合溝２５に挿入されると、屋内側の突起部４２８ａよりも先に屋外側の突起部４２８ｂが嵌合溝２５の屋外側の係合突部２５２ｂを弾性的に乗り越える。その後、縦縁部材４２が更に奥まで挿入されることで、底板部４２２が底面２５４に当接する。このときの屋外側の突起部４２８ｂは、嵌合溝２５内の屋外側の係合突部２５２ｂから底面２５４側に離れて配置される。
【００２９】
本実施形態の縦縁部材４２の全体は、横縁部材４３（具体的には、後述の横縁部材本体４３１）よりも硬質の材料によって形成されている。このため、嵌合溝２５に対して強固に取り付けることができる。縦縁部材４２の全体を形成するための具体的な材料は、横縁部材４３よりも硬質なものであれば特に問わず、塩化ビニル等の樹脂であってもよいし、アルミ等の金属であってもよい。
【００３０】
（横縁部材の構成）
次に、横縁部材４３の構成について図８〜図１０を用いて説明する。図９は、横縁部材４３の平面図である。図１０は、嵌合溝２６に嵌合させた状態の横縁部材４３の一端部を示す拡大平面図である。上下の横縁部材４３は、同一構成であるため、ここでは、図８に示す下横枠２２側の横縁部材４３について説明する。上横枠２１側の横縁部材４３は図８と上下対称に現れる。
横縁部材４３は、横縁部材本体４３１と、この横縁部材本体４３１に一体に設けられた天板部４３２とを備えている。
【００３１】
横縁部材本体４３１は、嵌合溝２６内の係合突部２６２ａ、２６２ｂと係合することにより、実質的に網部４１を嵌合溝２６内に嵌合させて取り付けるための部位である。横縁部材本体４３１は、長手方向に沿って延びる一対の脚部４３３、４３３を有する略Ｃ字型に形成されている。脚部４３３には、それぞれ突起部４３４が外向きに一体に形成されている。一対の突起部４３４、４３４間の幅寸法は、嵌合溝２６内の係合突部２６２ａ、２６２ｂ間の間隔よりも僅かに大きく形成されている。従って、横縁部材４３が嵌合溝２６内に挿入されると、突起部４３４が嵌合溝２６内の係合突部２６２ａ、２６２ｂを弾性的に乗り越えて係合し、横縁部材４３は嵌合溝２６内に保持される。
【００３２】
横縁部材４３において、横縁部材本体４３１は縦縁部材４２よりも軟質であり、例えば塩化ビニル等の樹脂によって形成されている。このため、横縁部材４３が網部４１と別体であることと相俟って、横縁部材４３の嵌合溝２６への取り付け及び嵌合溝２６からの取り外しのいずれの作業も容易で楽に行うことができる。
【００３３】
天板部４３２は、横縁部材本体４３１の長手方向に沿って延び、実質的に嵌合溝２６の開口形状と同程度の大きさに形成された平板からなり、横縁部材本体４３１の表層側（横縁部材本体４３１が嵌合溝２６に嵌合した際に嵌合溝２６の外側に面する側）に配置されている。
【００３４】
天板部４３２は、横縁部材本体４３１よりも硬質の材料によって形成されている。この天板部４３２により、横縁部材４３の全体の形状が保持されるため、横縁部材４３の取り扱い性及び嵌合溝２６へ取り付け作業性が良好となる。また、天板部４３２は平板からなるため、横縁部材４３が嵌合溝２６に嵌合した際、天板部４３２が樹脂上横枠２１２と樹脂下横枠２２２の各見込み面２１２ａ、２２２ａと面一状となり、網戸４及び建具１の見栄えも良好となる。
【００３５】
天板部４３２を形成する材料は、横縁部材本体４３１よりも硬質な塩化ビニル等の樹脂でもよいし、アルミ等の金属でもよい。天板部４３２が樹脂である場合は、横縁部材本体４３１と天板部４３２とを、硬度の異なる２種類の樹脂を用いた二色成形によって容易に一体成形することができる。
【００３６】
天板部４３２の長手方向両端部側の一方側部には、図９に示すように、切り欠き部４３５が形成されている。天板部４３２は、切り欠き部４３５の部位において部分的に細幅となっている。切り欠き部４３５は、図１０に示すように、横縁部材４３が嵌合溝２６内に嵌合した際、天板部４３２の周縁部に横縁部材４３を取り外すための治具（コイン、マイナスドライバ等）を挿入可能な隙間２６６を形成するので、横縁部材４３を嵌合溝２６から更に取り外し易くすることができる。また、切り欠き部４３５を設けることにより、横縁部材４３を嵌合溝２６から取り外すための突出部分を天板部４３２に設ける必要がなくなるため、網戸４及び建具１の意匠性も向上する。切り欠き部４３５は、天板部４３２の長手方向の少なくとも一方側部に、少なくとも一箇所形成されていればよい。なお、図１０では、網部４１の図示を省略した。
【００３７】
（網戸の取り付け方法）
次に、網戸４を枠体２に取り付ける方法について、図３〜図８を用いて説明する。
網戸４を枠体２に取り付ける前の段階では、図６に示すように、網部４１に縦縁部材４２が係合して取り付けられているが、横縁部材４３は網部４１と別体の状態とされている。この状態から、先ず、図７に示すように、網部４１に取り付けられた縦縁部材４２を、押し込み部４２４を有する側板部４２１ａを屋内側に配置させて、樹脂縦枠２３２、２４２の嵌合溝２５にそれぞれ挿入する。
【００３８】
縦縁部材４２が嵌合溝２５に挿入されると、縦縁部材４２の突起部４２８ａ、４２８ｂは、嵌合溝２５内の係合突部２５２ａ、２５２ｂのテーパー状の先端面２５３ａ、２５３ｂに案内されつつ、屋外側の突起部４２８ｂ、屋内側の突起部４２８ａの順に係合突部２５２ｂ、２５２ａを弾性的に乗り越える。縦縁部材４２の底板部４２２が嵌合溝２５内の底面２５４に当接するまで押し込まれることにより、縦縁部材４２の嵌合溝２５への取り付けが完了する。
【００３９】
この縦縁部材４２は、横縁部材４３よりも硬質であるため、取り付け時の網部４１を矩形状に安定させ易い。また、この段階では、網部４１は横縁部材４３を有していないため、横縁部材４３が邪魔になることなく、縦縁部材４２を嵌合溝２５へ容易に安定して取り付けることができる。しかも、硬質の縦縁部材４２は、嵌合溝２５に強固に嵌合するので、縦縁部材４２が浮き上がって意図せず外れてしまったり、網戸４に弛みが生じたりしにくい。
【００４０】
縦縁部材４２が嵌合溝２５内に嵌合すると、縦縁部材４２の屋内側の突起部４２８ａは、嵌合溝２５の屋内側の係合突部２５２ａと接触して係合する。一方、屋外側の突起部４２８ｂは、屋内側の突起部４２８ａに対してずれ量Ｄだけ底板部４２２側にずれて配置されているため、嵌合溝２５の屋外側の係合突部２５２ｂよりも底面２５４側にずれ量Ｄだけずれた隙間Ｓに配置される。
【００４１】
このように屋外側の突起部４２８ｂが隙間Ｓに配置されることで、網戸４が屋外側からの風圧を受けた際に、縦縁部材４２が簡単に外れてしまうことを防止することができる。即ち、網戸４が屋外側からの風圧を受けると、縦枠２３側の縦縁部材４２は、嵌合溝２５内で押し込み部４２４側が屋内側に移動するように回転しようとする。しかし、縦縁部材４２の屋外側の突起部２４８ｂは、嵌合溝２５の屋外側の係合突部２５２ｂとの間に、ずれ量Ｄに相当する距離を有するため、この距離で網戸４が風圧を受けた際の縦縁部材４２の回転を吸収することができる。その結果、屋外側の突起部２４８ｂが、風圧によって直ちに嵌合溝２５の屋外側の係合突部２５２ｂを乗り越えてしまうことが防止され、縦縁部材４２が嵌合溝２５から意図せず外れてしまうことが避けられる。
【００４２】
縦縁部材４２を嵌合溝２５にそれぞれ取り付けた後は、図８に示すように、横縁部材４３を嵌合溝２６取り付ける。横縁部材４３は、横縁部材本体４３１側を嵌合溝２６内に挿入することによって取り付けられる。このとき、網部４１の横側のテープ部４１２は、嵌合溝２６内に先に差し入れられた状態とされる。横縁部材４３は、嵌合溝２６内に差し入れられたテープ部４１２を横縁部材本体４３１で巻き込みながら、嵌合溝２６内に挿入される。このとき、天板部４３２の切り欠き部４３５側が屋内側に配置されるようにすると、取り外しのための治具を挿入する隙間２６６も屋内側に配置されるため、横縁部材４３の取り外し作業が行い易くなる。
【００４３】
横縁部材４３が嵌合溝２６内に挿入されると、横縁部材本体４３１の脚部４３３は、嵌合溝２６内の係合突部２６２ａ、２６２ｂのテーパー状の先端面２６３ａ、２６３ｂに案内されつつ係合突部２６２ａ、２６２ｂを弾性的に乗り越えることによって係合する。網部４１のテープ部４１２は、横縁部材４３の脚部４３３と嵌合溝２６の屋外側の係合突部２６２ｂ及び傾斜面２６５との間で挟着され、務歯４１２ａが抜け出ることが防止される。天板部４３２は、図３、図４に示すように、樹脂上横枠２１２と樹脂下横枠２２２の各見込み面２１２ａ、２２２ａとほぼ面一状となり、嵌合溝２６を見栄え良く被蓋する。
【００４４】
以上により、枠体２に縦縁部材４２及び横縁部材４３が取り付けられ、網戸４が張設される。横縁部材４３は網部４１と別体であり、軟質の横縁部材本体４３１を嵌合溝２６に楽に嵌合させることができるので、縦縁部材４２が嵌合溝２５に取り付けられた後の網部４１を嵌合溝２６に容易に取り付けることができる。
【００４５】
（網戸の取り外し方法）
次に、網戸４を枠体２から取り外す方法について説明する。
先ず、図１０に示すように、横縁部材４３の切り欠き部４３５によって形成される隙間２６６に、コインやマイナスドライバ等の治具を挿入し、天板部４３２をこじ開けるようにして横縁部材４３を嵌合溝２６から取り外す。横縁部材４３が嵌合溝２６と係合している部位は、軟質な横縁部材本体４３１であるため、脚部４３３の突起部４３４と嵌合溝２６内の係合突部２６２ａ、２６２ｂとの係合状態を容易に解除でき、横縁部材４３を嵌合溝２６から楽に取り外すことができる。
【００４６】
次いで、縦縁部材４２を嵌合溝２５から取り外す。縦縁部材４２の取り外し方法を、図１１を用いて説明する。図１１は、縦縁部材４２の取り外し作業手順の説明図である。
先ず、嵌合溝２５から僅かに突出している縦縁部材４２の押し込み部４２４を、指で屋外側に向けてＸ１方向に押し込む（図１１（ａ））。これにより、縦縁部材４２は、嵌合溝２５内でＸ２方向に回転し始める（図１１（ｂ））。このとき、縦縁部材４２の屋外側の円弧面４２３ｂは、嵌合溝２５内の屋外側の傾斜面２５５ｂに当接する。
【００４７】
その後、嵌合溝２５内の傾斜面２５５ｂがガイド面となり、縦縁部材４２は、この傾斜面２５５ｂに円弧面４２３ｂが案内されながらＸ２方向に更に回転する。これにより、縦縁部材４２は、嵌合溝２５内でガタつくことがなく、円滑に回転することができる。横縁部材４３は既に取り外されているため、横縁部材４３が縦縁部材４２のＸ２方向への回転動作の支障となることはない。
【００４８】
このようにして縦縁部材４２が回転すると、縦縁部材４２の屋内側の突起部４２８ａは、嵌合溝２５内の屋内側の係合突部２５２ａを容易に弾性的に乗り越えて係合を解除する。その後、縦縁部材４２を嵌合溝２５から離れるＸ３方向に引き出すことにより、縦縁部材４２を嵌合溝２５から取り外すことができる（図１１（ｃ））。これにより、網戸４は、枠体２から取り外される。
【００４９】
このように、縦縁部材４２は、嵌合溝２５に強固に嵌合しながらも、縦縁部材４２の押し込み部４２４を屋外側に向けて押し込むだけで、簡単に嵌合溝２５から取り外すことができるため、横縁部材４３を楽に取り外し可能であることと相俟って、網戸４の取り外し作業を容易に行うことができる。また、嵌合溝２５内の縦縁部材４２は、嵌合溝２５内の傾斜面２５５ｂがガイド面となって円滑に回転するため、取り外しが楽に行える。従って、この建具１によれば、網戸４の取り付け及び取り外しのいずれの作業も容易に行うことができる。
【００５０】
以上の実施形態は、縦縁部材が横縁部材よりも硬質である場合を例示したが、横縁部材が縦縁部材よりも硬質であってもよい。この場合は、横縁部材及びこれを嵌合させる嵌合溝の構造として、以上説明した縦縁部材４２及び嵌合溝２５の構造を適用でき、縦縁部材及びこれを嵌合させる嵌合溝の構造として、以上説明した横縁部材４３及び嵌合溝２６の構造を適用できる。
【００５１】
本発明に係る網戸４は、以上の実施形態に示した開き窓からなる建具１に限らず、引き違い窓等の他の窓構造を有する建具にも同様に適用することができる。
【符号の説明】
【００５２】
１  建具
２  枠体
２５、２６  嵌合溝
２５１ａ、２５１ｂ、２６１ａ、２６１ｂ  内側面
２５２ａ、２５２ｂ、２６２ａ、２６２ｂ  係合突部
２５５ｂ、２６５  傾斜面（ガイド面）
４  網戸
４１  網部
４２  縦縁部材
４２３ｂ  円弧面
４２４  押し込み部
４２８ａ、４２８ｂ  突起部
４３  横縁部材
４３１  横縁部材本体
４３２  天板部
４３５  切り欠き部
【図１】
2019148107.tif 000003
【図２】
2019148107.tif 000004
【図３】
2019148107.tif 000005
【図４】
2019148107.tif 000006
【図５】
2019148107.tif 000007
【図６】
2019148107.tif 000008
【図７】
2019148107.tif 000009
【図８】
2019148107.tif 000010
【図９】
2019148107.tif 000011
【図１０】
2019148107.tif 000012
【図１１】
2019148107.tif 000013